(57)【特許請求の範囲】
【請求項１】
顎を模した第１顎部材と、
前記第１顎部材に取り付けられ、それぞれ歯を模した複数の歯部材と、
を備え、
前記複数の歯部材のそれぞれは、前記第１顎部材から所定の面が露出するように取り付けられており、使用者の操作に応じて前記歯部材の第１面を前記第１顎部材から露出する第１状態と前記歯部材の前記第１面とは異なる第２面を前記第１顎部材から露出する第２状態とに変化可能である、玩具。
【請求項２】
請求項１に記載の玩具において、
前記複数の歯部材のそれぞれにおいて、前記第１面には前記使用者による前記操作のための被操作部となる突起が設けられている、玩具。
【請求項３】
請求項１または２に記載の玩具において、
前記複数の歯部材のそれぞれは、前記第１顎部材に回動可能に取り付けられており、前記第１状態と前記第２状態とは、回動位置が異なっている、玩具。
【請求項４】
請求項３記載の玩具において、
前記複数の歯部材のそれぞれには、前記回動位置が異なることにより前記第１顎部材から露出可能で前記第１面および前記第２面を含む複数の露出面が設けられ、
前記歯部材のそれぞれは、前記歯部材の回動を、前記複数の露出面のいずれかが前記第１顎部材から露出する位置に規制可能な規制部を有する、玩具。
【請求項５】
請求項４記載の玩具において、
前記使用者によって操作され、前記複数の歯部材のそれぞれに押し当てて前記複数の歯部材のそれぞれを回動させることが可能な回動操作部材を更に備える、玩具。
【請求項６】
請求項５記載の玩具において、
前記回動操作部材は、歯ブラシまたは歯科工具を模している、玩具。
【請求項７】
請求項１〜６のいずれか１項に記載の玩具において、
前記複数の歯部材のそれぞれにおいて、前記第１面は、虫歯を模した面であり、前記第２面は、虫歯でない歯を模した面である、玩具。
【請求項８】
請求項６または７に記載の玩具において、
前記複数の歯部材のそれぞれは、前記歯部材の外周を構成する第１部材と虫歯を模すように前記第１部材の色彩とは異なる色彩で構成された第２部材とを含み、
前記複数の歯部材のそれぞれにおいて、前記第１面では前記第２部材は前記第１部材から露出し、前記第２面では前記第２部材は前記第１部材に覆われている、玩具。
【請求項９】
請求項１〜８のいずれか１項に記載の玩具において、
上顎を模した第２顎部材を更に備え、
前記第１顎部材は、下顎を模しており、
前記第１顎部材に対して前記第２顎部材が相対的に動くことにより、前記第１顎部材と前記第２顎部材とは、口を開けた状態と、口を閉じた状態とに変化可能である、玩具。
【請求項１０】
請求項９記載の玩具において、
前記第１顎部材および前記第２顎部材が前記口を開けた状態にあるときに、前記複数の歯部材のそれぞれは、前記使用者の操作に応じて前記第１状態と前記第２状態とに変化可能であり、
前記口を開けた状態にある前記第１顎部材および前記第２顎部材が、前記口を閉じた状態に変化したことに応じて、前記複数の歯部材は、いずれも前記第１状態となる、玩具。
【発明の詳細な説明】
【技術分野】
【０００１】
本発明は、玩具に関するものである。
【背景技術】
【０００２】
特許文献１（特開昭５５−１１８７７６号公報）には、擬態顎と擬態歯を備える歯科模型に関する技術が記載されている。
【先行技術文献】
【特許文献】
【０００３】
【特許文献１】特開昭５５−１１８７７６号公報
【発明の概要】
【発明が解決しようとする課題】
【０００４】
顎を模した顎部材と、歯を模した複数の歯部材とを備える玩具において、興趣性を向上させることが望まれる。
【０００５】
その他の課題と新規な特徴は、本明細書の記述および添付図面から明らかになるであろう。
【課題を解決するための手段】
【０００６】
一実施の形態によれば、玩具は、顎を模した第１顎部材と、前記第１顎部材に取り付けられ、それぞれ歯を模した複数の歯部材と、を備えている。前記複数の歯部材のそれぞれは、前記第１顎部材から所定の面が露出するように取り付けられている。前記複数の歯部材のそれぞれは、使用者の操作に応じて、前記歯部材の第１面を前記第１顎部材から露出する第１状態と、前記歯部材の前記第１面とは異なる第２面を前記第１顎部材から露出する第２状態とに変化可能である。
【発明の効果】
【０００７】
一実施の形態によれば、玩具の興趣性を向上させることができる。
【図面の簡単な説明】
【０００８】
【図１】一実施の形態の玩具の斜視図である。
【図２】一実施の形態の玩具の斜視図である。
【図３】一実施の形態の玩具の斜視図である。
【図４】一実施の形態の玩具の斜視図である。
【図５】一実施の形態の玩具で用いられている歯部材の断面図である。
【図６】歯部材の回動位置を位置決めする機構について説明する説明図である。
【図７】歯部材の回動位置を位置決めする機構について説明する説明図である。
【図８】顎部材が口を開けた状態と口を閉じた状態とに変化する機構について説明する説明図である。
【図９】顎部材が口を開けた状態と口を閉じた状態とに変化する機構について説明する説明図である。
【図１０】顎部材が口を開けた状態から口を閉じた状態に変化したときに、全ての歯部材が虫歯の回動位置となる機構について説明する説明図である。
【図１１】顎部材が口を開けた状態から口を閉じた状態に変化したときに、全ての歯部材が虫歯の回動位置となる機構について説明する説明図である。
【発明を実施するための形態】
【０００９】
以下、実施の形態を図面に基づいて詳細に説明する。なお、実施の形態を説明するための全図において、同一の機能を有する部材には同一の符号を付し、その繰り返しの説明は省略する。また、以下の実施の形態では、特に必要なとき以外は同一または同様な部分の説明を原則として繰り返さない。
【００１０】
本発明の一実施の形態の玩具を図面を参照して説明する。図１〜図４は、本実施の形態の玩具１の斜視図である。図１および図２には、口を閉じた状態の玩具１が示され、図３および図４には、口を開けた状態の玩具１が示されている。また、図１と図２〜図４とでは、玩具１を見る方向が異なっている。
【００１１】
図１〜図４に示される本実施の形態の玩具１は、下顎を模した顎部材（擬態顎、疑似的な顎）２と、上顎を模した顎部材（擬態顎、疑似的な顎）３と、顎部材２，３を支持する支持台部（本体部）４と、それぞれ歯を模した複数の歯部材（擬態歯、疑似的な歯）５と、レバー６と、を備えている。図１〜図４に示される本実施の形態の玩具１は、歯ブラシを模した部材（擬態歯ブラシ、疑似的な歯ブラシ）１１と、歯科工具を模した部材（擬態歯科工具、疑似的な歯科工具）１２と、コップを模した部材（擬態コップ、疑似的なコップ）１３と、を更に備えている。玩具１のこれらの構成要素は、主として、例えば樹脂材料などを用いて形成することができる。詳細な説明においては、便宜上、図１〜図４に示された玩具１の上顎を模した顎部材２がある側を上、下顎を模した顎部材３がある側を下と表記し、他の図についてもこれらと同様に表記する。
【００１２】
顎部材２は、支持台部４に取り付けられており、支持台部４に固定されている。顎部材３は、顎部材２に対して回動可能に取り付けられている。複数の歯部材５は、顎部材２に回動可能に取り付けられている。
【００１３】
顎部材２に対して顎部材３が相対的に動くことにより、顎部材２と顎部材３とは、口を閉じた状態（図２の状態）と、口を開けた状態（図３の状態）とに変化可能である。より特定的には、顎部材３を顎部材２に保持する回転軸を中心にして顎部材３が回動（回転）することにより、顎部材２と顎部材３とは、口を閉じた状態（図２の状態）と、口を開けた状態（図３の状態）とに変化可能である。
【００１４】
顎部材２と顎部材３とにより、頭部が構成される。また、支持台部４において、顎部材２と隣接する位置に胴体部７が取り付けられている。
【００１５】
レバー６は、顎部材２または支持台部４に取り付けられており、レバー６を動かすことにより、顎部材２に対して顎部材３が相対的に動く（より特定的には回動する）ことができる。具体的には、レバー６を手前側に引く（倒す）と、顎部材２と顎部材３とは、口を開けた状態（図３の状態）になり、レバー６を奥側に戻す（立てる）と、顎部材２と顎部材３とは、口を閉じた状態（図２の状態）になる。
【００１６】
顎部材２と顎部材３とが、口を開けた状態（図３の状態）になると、顎部材２に取り付けられている複数の歯部材５が露出されて、玩具１の使用者から見える状態になる。一方、顎部材２と顎部材３とが、口を閉じた状態（図２の状態）になると、顎部材２に取り付けられている複数の歯部材５は、顎部材３に隠れて玩具１の使用者からは見えない状態になる。
【００１７】
顎部材２に取り付けられている複数の歯部材５のそれぞれは、顎部材２から所定の面が露出するように取り付けられている。顎部材２の上面側において、顎部材２の外周に沿うように、歯部材５が複数個、並んでいる。歯部材５は、顎部材２に完全に固定されているわけではなく、顎部材２に、回動可能に取り付けられている。図５は、玩具１で用いられている歯部材５の断面図である。図５の断面図において、歯部材５は、回転軸２１を中心にして回動することができる。図５において、回転軸２１は、紙面に略垂直な方向に延在している。歯部材５は、虫歯を模した面５ａと、虫歯でない歯を模した面５ｂとを有している。
【００１８】
顎部材２に取り付けられている複数の歯部材５のそれぞれは、玩具１の使用者の操作に応じて、歯部材５の面５ａを顎部材２から露出する状態（図３の状態）と、歯部材５の面５ｂを顎部材２から露出する状態（図４の状態）とに変化可能である。歯部材５の面５ａを顎部材２から露出する状態（図３の状態）では、虫歯を模した面５ａが歯部材５の上面となっており、歯部材５の面５ｂを顎部材２から露出する状態（図４の状態）では、虫歯でない歯を模した面５ｂが歯部材５の上面となっている。歯部材５の面５ａを顎部材２から露出する状態（図３の状態）と、歯部材５の面５ｂを顎部材２から露出する状態（図４の状態）とでは、歯部材５の回動位置が異なっている。言い換えると、歯部材５の回動させることで回動位置を変化させることにより、歯部材５が顎部材２から露出する露出面を面５ａおよび面５ｂの何れか一方に変化させることができる。
【００１９】
歯部材５は、歯部材５の外周を構成する外側部材（外殻部材）２２と、外側部材２２の内側に、外側部材２２に覆われるように配置された内側部材２３とを含んでいる（図５参照）。外側部材２２の色彩（色）と、内側部材２３の色彩（色）とは、互いに異なっている。歯部材５の面５ａにおいて、外側部材２２に開口部（貫通孔）２４が設けられており、外側部材２２から、外側部材２２の色彩とは異なる色彩を有する内側部材２３が露出されている。すなわち、歯部材５の面５ａが顎部材２から露出している状態においては、外側部材２２の開口部２４から、外側部材２２の色彩とは異なる色彩を有する内側部材２３が、使用者に視認可能になる。一方、歯部材５の面５ｂでは、外側部材２２には、内側部材２３を露出するような開口部は設けられていない。このため、歯部材５の面５ｂが顎部材２から露出している状態においては、内側部材２３は外側部材２２に覆われており、外側部材２２から内側部材２３は露出していない。このため、歯部材５の面５ｂでは、内側部材２３は使用者に視認不可能であるに。つまり、歯部材５の面５ａが顎部材２から露出している状態では、内側部材２３は外側部材２２から露出し、歯部材５の面５ｂが顎部材２から露出している状態では、内側部材２３は、外側部材２２に覆われている。これにより、歯部材５の面５ａは、虫歯のように見え、歯部材５の面５ｂは、虫歯でない歯のように見える。
【００２０】
歯部材５の外形（従って外側部材２２の外形）は、概略的に言うと、例えば略直方体形状（より特定的には略立方体形状）を有している。歯部材５が回動すると、歯部材５が有する６つの面のうち、回転軸２１に略平行な４つの面のいずれかが上面となり、顎部材２から露出し得る。その回転軸２１に略平行な４つの面のうち、２つの面が、虫歯を模した面５ａとなっており、他の２つの面が、虫歯でない歯を模した面５ｂとなっている。歯部材５において、虫歯を模した面５ａ同士が、互いに反対側に位置し、虫歯でない歯を模した面５ｂ同士が、互いに反対側に位置している（図５参照）。
【００２１】
ここで、歯部材５の回動位置について、虫歯を模した面５ａが顎部材２から露出する回動位置、すなわち、虫歯を模した面５ａが歯部材５の上面となって顎部材２からの露出する回動位置を、以下では「虫歯の回動位置」と称することとする。また、歯部材５の回動位置について、虫歯でない歯を模した面５ｂが顎部材２から露出する回動位置、すなわち、虫歯でない歯を模した面５ｂが歯部材５の上面となって顎部材２からの露出する回動位置を、以下では「虫歯でない回動位置」と称することとする。玩具１の使用者からは、歯部材５の上面として顎部材２からの露出面が見えるため、虫歯の回動位置にある歯部材５は、虫歯のように見え、虫歯でない回動位置にある歯部材５は、虫歯ではない歯のように見えることになる。虫歯の回動位置にある歯部材５を９０°回転させると、歯部材５は、虫歯でない回動位置になり、更にその歯部材５を９０°回転させると、歯部材５は、虫歯の回動位置になり、更にその歯部材５を９０°回転させると、歯部材５は、虫歯でない回動位置になり、更にその歯部材５を９０°回転させると、歯部材５は、虫歯の回動位置になる。
【００２２】
図１〜図４に示される本実施の形態の玩具１は、歯ブラシを模した部材１１と、歯科工具を模した部材１２と、コップを模した部材１３とを、更に備えている。図１〜図４の場合は、歯科工具を模した部材１２は、歯科用ドリルを模したものとなっている。部材１１，１２，１３は、それぞれ、支持台部４に設けられた穴部（凹部）などに配置されており、支持台部４から取り外すことができるようになっている。
【００２３】
玩具１の使用者は、歯ブラシを模した部材１１を歯部材５に押し当て、部材１１により歯部材５に回動力を付与することにより、歯部材５を回動させることができる。また、玩具１の使用者は、歯ブラシを模した部材１１の代わりに、歯科工具を模した部材１２を歯部材５に押し当て、部材１２により歯部材５に回動力を付与することにより、歯部材５を回動させることもできる。このため、部材１１，１２は、玩具１の使用者によって操作され、歯部材５に押し当ててその歯部材５を回動させることが可能な回動操作部材とみなすことができる。部材１３は、歯磨きに用いられるコップを模したものであり、歯部材５を回動させるためには使用しない。このため、コップを模した部材１３は、支持台部４に固定されていてもよく、また、コップを模した部材１３を省略することもできる。
【００２４】
図３および図４のように顎部材２，３が口を開けた状態になっているときには、その口に部材１１または部材１２を容易に差し込むことができ、部材１１または部材１２を歯部材５に押し当て歯部材５を回動させることができる。一方、図１および図２のように顎部材２，３が口を閉じた状態になっているときには、その口に部材１１または部材１２を差し込むことが容易ではないか、あるいは差し込むことができない。このため、部材１１または部材１２を歯部材５に押し当て歯部材５を回動させる動作は、図１および図２のように顎部材２，３が口を閉じた状態になっているときではなく、図３および図４のように顎部材２，３が口を開けた状態になっているときに、玩具１の使用者によって行われる。
【００２５】
図６および図７は、歯部材５の回動位置を位置決めする機構について説明する説明図である。
【００２６】
図６および図７に示されるように、歯部材５は、歯部材５の側面（回転軸２１に略垂直な側面）に設けられた、平面形状が正方形状のプレート部材３２を有している。なお、プレート部材３２の平面形状は、回転軸２１に略垂直な面における形状に対応している。正方形状のプレート部材３２の四辺は、回転軸２１に略垂直な歯部材５の４つの面（５ａ，５ｂ）に平行となっている。このプレート部材３２は、歯部材５の外側部材２２に固定されているか、あるいは、外側部材２２と一体的に形成されているため、歯部材５が回動すると、プレート部材３２も一緒に回動する。回転軸２１は、プレート部材３２の中心付近に設けられた孔を貫通している。また、図６および図７に示されるように、顎部材２には、上下方向（上顎である顎部材２から下顎である顎部材３に向かう方向）に延在する２本の棒状の部材３３（一方を部材３３ａ、他方を部材３３ｂと称す）が取り付けられており、この２本の部材３３（３３ａ，３３ｂ）の間にプレート部材３２が挟まれた状態になっている。部材３３ａ，３３ｂは、下部（図６および図７において顎部材２で隠れている部分）が連結されており、かつ、顎部材２に固定されている。
【００２７】
部材３３ａ，３３ｂの間に正方形状のプレート部材３２が挟まれているため、図６のように、正方形状のプレート部材３２の二辺が棒状の部材３３ａ，３３ｂの延在方向（上下方向）に平行なときは、その二辺のほぼ全体が部材３３ａ，３３ｂに接触するため、部材３３ａ，３３ｂの間に正方形状のプレート部材３２が安定して挟まれた状態になる。このため、図６の状態は、歯部材５の回動位置は安定しており、多少の外力（回動力）を歯部材５に付与したとしても、歯部材５の回動位置は変化しないで済む。
【００２８】
一方、図７のように、正方形状のプレート部材３２の各辺が棒状の部材３３ａ，３３ｂの延在方向（上下方向）に対して傾斜しているときは、正方形状のプレート部材３２の角部が棒状の部材３３ａ，３３ｂに接触し、棒状の部材３３ａ，３３ｂの間隔が押し広げられた状態になる。このため、間隔を広げられた棒状の部材３３ａ，３３ｂはしなった（曲がった）状態になり、棒状の部材３３ａ，３３ｂが正方形状のプレート部材３２の角部を強く押すことになる。従って、図７の状態は、歯部材５の回動位置が安定しておらず、わずかな外力（回動力）を付与するだけで、図７の状態から、図６のように、プレート部材３２の二辺が棒状の部材３３ａ，３３ｂの延在方向に平行な状態に変化する。
【００２９】
このため、歯部材５の回動位置は、図６のように、プレート部材３２の二辺が棒状の部材３３ａ，３３ｂの延在方向に平行な状態に規制されることになる。すなわち、歯部材５の回動位置は、図６で示される歯部材５の回動位置（虫歯の回動位置）と、それから歯部材５を９０°回転させた回動位置（虫歯でない回動位置）と、それから歯部材５を更に９０°回転させた回動位置（虫歯の回動位置）と、それから歯部材５を更に９０°回転させた回動位置（虫歯でない回動位置）とに規制され、それらの回動位置で安定して保持可能となる。プレート部材３２および棒状の部材３３ａ，３３ｂは、歯部材５の回動位置を規制する規制部として機能することができる。従って、歯部材５には、回動位置が異なることにより顎部材２から１つの面を露出可能で、虫歯を模した面５ａおよび虫歯でない歯を模した面５ｂを含む複数の露出面が設けられている場合は、プレート部材３２および棒状の部材３３ａ，３３ｂは、歯部材５の回動を、その複数の露出面（５ａ，５ｂ）のいずれかが顎部材２から露出する位置に規制可能である。
【００３０】
また、図６および図７にも示されるように、歯部材５において、虫歯を模した面５ａには、突起（突起部）３１が設けられている。図６および図７の場合は、虫歯を模した面５ａの四隅付近に、それぞれ突起３１が設けられているため、各面５ａに４つの突起３１が設けられている。突起３１は、歯部材５の外側部材２２において、歯の外観を表す曲面から局所的に外方に突出している部分に対応している。歯ブラシを模した部材１１のブラシ面（ブラシを模した部分の表面）は、平坦面ではなく、ギザギザの面（凹凸面）となっている。玩具１の使用者は、歯ブラシを模した部材１１のブラシ面を、虫歯の回動位置となっている歯部材５の虫歯を模した面５ａに押し当て、部材１１により歯部材５に回動力を付与することにより、歯部材５を虫歯の回動位置から虫歯でない回動位置に変化させることができる。この際、歯ブラシを模した部材１１のブラシ面の表面のギザギザ（凹凸）を、虫歯を模した面５ａの突起３１に引っ掛けることにより、歯ブラシを模した部材１１により歯部材５に容易かつ的確に回動力を付与することができる。このため、歯部材５の虫歯を模した５ａに設けられた突起３１は、玩具１の使用者による歯部材５を回動させる動作（操作）のための被操作部となり得る。すなわち、玩具１の使用者は、歯部材５の面５ａが顎部材２から露出する状態（歯部材５が虫歯の回動位置となっている状態）から、歯部材５の面５ｂが顎部材２から露出する状態（歯部材５が虫歯でない回動位置となっている状態）に変化させるための動作（操作）を行うが、突起３１は、その動作（操作）の被操作部となり得る。歯部材５の虫歯を模した５ａに突起３１を設けたことにより、歯ブラシを模した部材１１などを用いて、歯部材５を、虫歯の回動位置から虫歯でない回動位置に、容易かつ的確に変化させることができるようになる。また、歯ブラシを模した部材１１の代わりに、歯科工具（ここでは歯科用ドリル）を模した部材１２を用いる場合にも同様に突起３１は、その動作（操作）の被操作部として歯部材５を、虫歯の回動位置から虫歯でない回動位置に、容易かつ的確に変化させることができるが、その他にも、ドリル部の先端を歯部材５の外側部材２２の開口部２４に差し込むことで、歯科工具を模した部材１２により歯部材５に容易かつ的確に回動力を付与することもできる。
【００３１】
図８および図９は、顎部材２，３が口を開けた状態と口を閉じた状態とに変化する機構について説明する説明図である。図８および図９は、玩具１の一部を透視した斜視図であり、図８では、顎部材２，３は口を閉じた状態になっており、図９では、顎部材２，３は口を開けた状態になっている。
【００３２】
レバー６を動かすと、レバー６に連結された回転軸（図示せず）とその回転軸に固定された歯車（図示せず）とが回転することにより、その歯車とかみ合っているピニオン（歯車）４２も回転する。ピニオン４２に隣接してラック（板状または棒状の歯車）４１が配置されており、ピニオン４２の歯とラック４１の歯とはかみ合っている。このため、ピニオン４２が回転すると、ラック４１は直線方向（ここでは上下方向に）に移動することができ、ピニオン４２の回転運動をラック４１の直線運動に変換することができる。ラック４１の上端部は、顎部材３に連結されている。このラック４１の直線運動（上下運動）により、顎部材３が動くことができ、それによって、顎部材２，３が口を開けた状態と口を閉じた状態とに変化することができる。
【００３３】
例えば、図８のように、レバー６を立てた状態では、顎部材２，３が口を閉じた状態になっているが、図９のように、レバー６を手前側に倒すと、ピニオン４２が回転することに応じてラック４１が下降し、それによって、顎部材３が動いて顎部材２，３は口を開けた状態になる。一方、図９のように、レバー６を手前側に倒した状態では、顎部材２，３が口を開けた状態になっているが、図８のように、レバー６を奥側に立てる（戻す）と、ピニオン４２が回転することに応じてラック４１が上昇し、それによって、顎部材３が動いて顎部材２，３は口を閉じた状態になる。
【００３４】
また、図８および図９に示される歯車（ピニオン）４３は、レバー６に連結された回転軸（図示せず）に固定された歯車（図示せず）とかみ合っており、レバー６を動かすと、歯車４３も回転するようになっている。
【００３５】
上述したように、顎部材２，３が口を開けた状態にあるときに、各歯部材５は、玩具１の使用者の操作に応じて、歯部材５の面５ａが顎部材２から露出する状態（図３の状態）と、歯部材５の面５ｂが顎部材２から露出する状態（図４の状態）とに変化可能である。言い換えると、顎部材２，３が口を開けた状態にあるときに、各歯部材５は、玩具１の使用者の操作に応じて、虫歯の回動位置（図３の回動位置）と虫歯でない回動位置（図４の回動位置）とに変化可能である。そして、後述のように、口を開けた状態にある顎部材２，３が、口を閉じた状態（図１および図２の状態）に変化したことに応じて、顎部材２に取り付けられた複数の歯部材５は、いずれも、歯部材５の面５ａが顎部材２から露出する状態（具体的には、虫歯を模した面５ａが歯部材５の上面となった状態）となる。言い換えると、口を開けた状態にある顎部材２，３が、口を閉じた状態（図１および図２の状態）に変化したことに応じて、顎部材２に取り付けられた複数の歯部材５は、いずれも、虫歯の回動位置となる。これを実現する機構の一例を、図１０および図１１を参照して説明する。
【００３６】
図１０および図１１は、顎部材２，３が口を開けた状態から口を閉じた状態に変化したときに、全ての歯部材５が虫歯の回動位置となる機構について説明する説明図である。図１０は、顎部材２，３が口を開けた状態となっている場合に対応し、図１１は、顎部材２，３が口を閉じた状態となっている場合に対応している。
【００３７】
図１０および図１１に示されるように、歯部材５は、歯部材５の側面（回転軸２１に略垂直な側面）に設けられた棒状の部材５１を有している。なお、歯部材５において、上述したプレート部材３２（上記図６および図７参照）が設けられた側面と、棒状の部材５１（図１０および図１１参照）が設けられた側面とは、互いに反対側の面である。歯部材５は顎部材２に取り付けられているが、棒状の部材５１が設けられた歯部材５の側面は、顎部材２の内側を向いており、プレート部材３２が設けられた歯部材５の側面は、顎部材２の外側を向いている。これにより、顎部材２の内側に、後述する棒状または板状の部材５２を配置しやすくなる。
【００３８】
棒状の部材５１の延在方向は、歯部材５の回転軸２１に略垂直で、かつ、虫歯を模した面５ａに略平行な方向である。虫歯を模した面５ａと虫歯でない歯を模した面５ｂとは、互いに略垂直であるため、棒状の部材５１の延在方向は、虫歯でない歯を模した面５ｂに略垂直である。棒状の部材５１は、歯部材５の外側部材２２に固定されているか、あるいは、外側部材２２と一体的に形成されているため、歯部材５が回動すると、棒状の部材５１も一緒に回動する。回転軸２１は、棒状の部材５１の中心付近に設けられた孔を貫通している。
【００３９】
このため、歯部材５が虫歯の回動位置にある場合は、その歯部材５の側面に設置された棒状の部材５１は、水平方向に延在し、また、歯部材５が虫歯でない回動位置にある場合は、その歯部材５の側面に設置された棒状の部材５１は、上下方向に延在することになる。
【００４０】
歯部材５と隣り合うように、棒状または板状の部材５２が配置されており、部材５２の上面には、上方に突出する突出部５３が設けられている。突出部５３は、各歯部材５に対して、設けられている。部材５２は、図１０および図１１に示されるＸ方向に延在している。ここで、Ｘ方向は、歯部材５の回転軸２１に略垂直で、かつ、歯部材５の側面（部材５１が設けられた側面）に略平行な方向である。
【００４１】
部材５２には、上記図８および図９に示される歯車（ピニオン）４３にかみ合うラック（図示せず）と連結されている。このため、歯車４３の回転運動は、部材５２のＸ方向の直線運動に変換され得る。上記レバー６を動かすと、上記歯車４３も回転し、それによって、部材５２は、Ｘ方向に移動する。突出部５３は、部材５２と連結されているため、部材５２がＸ方向に移動すると、それと一緒に突出部５３もＸ方向に移動する。
【００４２】
顎部材２，３が口を開けた状態（レバー６を手前側に倒した状態）にあるときは、部材５２および突出部５３は、図１０に示されるような位置にあり、また、顎部材２，３が口を閉じた状態（レバー６を立てた状態）にあるときは、部材５２および突出部５３は、図１１に示されるような位置にある。すなわち、顎部材２，３が口を開けた状態から、口を閉じた状態に変化するときには、部材５２および突出部５３は、図１０に示されるような位置から、図１１に示されるような位置に、Ｘ方向に移動するが、この際、突出部５３は、歯部材５の側面に設置された棒状の部材５１の下を通過する。
【００４３】
棒状の部材５１が水平方向に延在している場合（すなわち歯部材５が虫歯の回動位置にある場合）は、突出部５３が棒状の部材５１の下を通過するときに、突出部５３は棒状の部材５１に衝突せず、それゆえ、その部材５１が取り付けられている歯部材５は回動しない。しかしながら、棒状の部材５１が上下方向に延在している場合（すなわち歯部材５が虫歯でない回動位置にある場合）は、突出部５３が棒状の部材５１の下を通過するときに、突出部５３は棒状の部材５１に衝突し、それによって、棒状の部材５１を、延在方向が上下方向から水平方向になるように９０°回転させる。棒状の部材５１が９０°回転することにより、その部材５１が取り付けられていた歯部材５も９０°回転して、虫歯でない回動位置から虫歯の回動位置に変化する。
【００４４】
ここで、図１０および図１１において、２つの歯部材５のうちの左側の歯部材５を、歯部材５ｃと称し、右側の歯部材５を、歯部材５ｄと称することとする。顎部材２，３が口を開けた状態となっているときに、図１０のように、歯部材５ｃは、歯ブラシを模した部材１１を用いて、虫歯の回動位置から虫歯でない歯の回動位置に変化されており、一方、歯部材５ｄは、虫歯の回動位置のままとされている。
【００４５】
顎部材２，３が口を開けた状態では、歯部材５ｄは、図１０のように虫歯でない回動位置にあるが、顎部材２，３が口を開けた状態から口を閉じた状態に変化しても、図１１のように、歯部材５ｄは、虫歯でない回動位置を維持している。なぜなら、図１０の位置から図１１の位置に突出部５３が移動した際に、歯部材５ｄの側面に設置された棒状の部材５１に突出部５３は衝突しないからである。
【００４６】
それに対して、顎部材２，３が口を開けた状態で、歯部材５ｃは、図１０のように虫歯でない回動位置にあるが、顎部材２，３が口を開けた状態から口を閉じた状態に変化すると、図１１のように、歯部材５ｃは、虫歯でない回動位置から虫歯の回動位置に変化する。なぜなら、図１０の位置から図１１の位置に突出部５３が移動した際に、突出部５３が歯部材５ｃの側面に設置された棒状の部材５１に衝突して押すことにより、部材５１に回動力が付与され、それによって、歯部材５ｃが９０°回転するからである。
【００４７】
このため、レバー６を動かすことによって、口を開けた状態にある顎部材２，３が、口を閉じた状態に変化すると、顎部材２に取り付けられている複数の歯部材５は、いずれも、虫歯の回動位置となる。すなわち、顎部材２，３が口を開けた状態にあるときには、各歯部材５は、玩具１の使用者の操作（例えば歯ブラシを模した部材１１を用いた操作）に応じて、虫歯の回動位置と虫歯でない回動位置とに変化可能であるが、口を開けた状態にある顎部材２，３が、口を閉じた状態に変化したことに応じて、顎部材２に取り付けられている複数の歯部材５は、いずれも虫歯の回動位置となる。
【００４８】
次に、玩具１の使用方法について説明する。
【００４９】
まず、図１および図２のような口を閉じた状態の玩具１に対して、玩具１の使用者がレバー６を手前側に引く（倒す）ことにより、玩具１の顎部材２と顎部材３とは、図３のように口を開けた状態になる。口を開けた状態では、顎部材２に取り付けられている複数の歯部材５は、玩具１の使用者から見えている。
【００５０】
顎部材２と顎部材３とが、口を閉じた状態（図１および図２の状態）から口を開けた状態になったときには、顎部材２に取り付けられている複数の歯部材５は、いずれも、虫歯の回動位置となっており、すなわち、図３のように、顎部材２に取り付けられている複数の歯部材５は、いずれも上面が、虫歯を模した面５ａとなっている。つまり、この段階では、顎部材２に取り付けられている複数の歯部材５は、いずれも、歯部材５の虫歯を模した面５ａが顎部材２から露出する状態となっている。このため、この段階では、玩具１の使用者から見ると、顎部材２に取り付けられている複数の歯部材５は、いずれも、虫歯に見える。
【００５１】
次に、玩具１の使用者は、歯ブラシを模した部材１１を支持台部４から取り外し、部材１１を歯部材５に押し当てる操作を行い、部材１１により歯部材５に回動力を付与することにより、歯部材５を回動させる。これにより、虫歯の回動位置にある歯部材５（すなわち虫歯を模した面５ａが上面となっている歯部材５）は回動し、歯部材５は、虫歯でない回動位置になる（すなわち歯部材５の上面は虫歯でない歯を模した面５ｂになる）。これにより、玩具１の使用者から見ると、虫歯に見えた歯部材５（虫歯の回動位置にある歯部材５）が、歯ブラシを模した部材１１による操作で回動したことで、虫歯が治って虫歯ではない歯（虫歯でない回動位置にある歯部材５）に変化したように見えることになる。
【００５２】
図４では、歯ブラシを模した部材１１を用いて、顎部材２に取り付けられている複数の歯部材５の全てを、虫歯の回動位置から虫歯でない回動位置に変化させた状態が示されている。つまり、図３のように、全ての歯部材５が、虫歯を模した面５ａが顎部材２から露出する状態となっていたのを、歯ブラシを模した部材１１を用いて歯部材５を回動させることにより、図４のように、全ての歯部材５が、虫歯でない歯を模した面５ｂが顎部材２から露出する状態に変化する。
【００５３】
玩具１の使用者は、顎部材２に取り付けられている複数の歯部材５のうち、任意の歯部材５について、歯ブラシを模した部材１１を用いて回動させ、虫歯の回動位置にある歯部材５を、虫歯でない回動位置に変えることができる。例えば、顎部材２に取り付けられている複数の歯部材５の全てを、虫歯の回動位置から虫歯でない回動位置に変えることもできるし、あるいは、顎部材２に取り付けられている複数の歯部材５のうちの一部を、虫歯の回動位置から虫歯でない回動位置に変え、残りを虫歯の回動位置のままとすることもできる。
【００５４】
歯ブラシを模した部材１１により歯部材５を回動させることにより、虫歯の回動位置にある歯部材５を、虫歯でない回動位置に変える行為は、玩具１の使用者において、歯磨きを連想させる行為であり、虫歯を無くす（減らす）には歯磨きが有効であることを意識付けさせることができる。
【００５５】
また、歯ブラシを模した部材１１の代わりに、歯科工具を模した部材１２を用いて歯部材５を回動させる操作を行うことにより、虫歯の回動位置にある歯部材５を、虫歯でない回動位置に変えることもできる。歯科工具を模した部材１２を用いた操作で歯部材５を回動させることにより、虫歯の回動位置にある歯部材５を、虫歯でない回動位置に変える行為は、玩具１の使用者において、歯科工具を用いた虫歯の治療を連想させる行為であり、虫歯を無くす（減らす）には歯科医院などでの虫歯の治療が有効であることを意識付けさせることができる。
【００５６】
次に、玩具１の使用者がレバー６を奥側に戻す（立てる）ことにより、顎部材２に対して顎部材３が相対的に動き、顎部材２と顎部材３とは、口を開けた状態（図４）から口を閉じた状態（図１および図２）になる。口を閉じた状態では、顎部材２に取り付けられている複数の歯部材５は、玩具１の使用者からは見えなくなる。
【００５７】
この際、上記図１０および図１１を参照して説明したように、顎部材２，３が口を開けた状態にあるときに、玩具１が備える複数の歯部材５のそれぞれを虫歯の回動位置と虫歯でない回動位置のどちらに位置させたとしても、顎部材２，３が口を開けた状態から口を閉じた状態に変化したことに応じて、玩具１が備える複数の歯部材５は、いずれも、虫歯の回動位置となる。
【００５８】
つまり、顎部材２，３が口を開けた状態にあるときに、歯ブラシを模した部材１１により、虫歯の回動位置にある歯部材５を、虫歯でない回動位に変えたとしても、その虫歯でない回動位置にある歯部材５は、顎部材２，３を口を開けた状態から口を閉じた状態に変化させたことに応じて、虫歯の回動位置となる。一方、顎部材２，３が口を開けた状態にあるときに、虫歯の回動位置のままとした歯部材５は、顎部材２，３を口を開けた状態から口を閉じた状態に変化させても、虫歯の回動位置のままとなる。
【００５９】
次に、玩具１の使用者がレバー６を手前側に引く（倒す）ことにより、顎部材２に対して顎部材３が相対的に動き、顎部材２，３は、口を閉じた状態（図１および図２）から口を開けた状態（図３）になる。口を開けた状態では、顎部材２に取り付けられている複数の歯部材５は、玩具１の使用者から見えている。このとき、顎部材２に取り付けられている複数の歯部材５は、いずれも、虫歯の回動位置（すなわち、虫歯を模した面５ａが歯部材５の上面となる回動位置）となっている。このため、玩具１の使用者から見ると、顎部材２に取り付けられている複数の歯部材５は、いずれも、虫歯に見える。
【００６０】
以降は、玩具１の使用者は、上記の操作を繰り返すことができる。すなわち、玩具１の使用者は、歯ブラシを模した部材１１を用いて歯部材５を回動させることで、虫歯の回動位置にある歯部材５を、虫歯でない回動位置に変えることができる。そして、レバー６を奥側に戻すことにより、顎部材２，３とは、口を開けた状態から口を閉じた状態になり、それに伴って、顎部材２に取り付けられている複数の歯部材５は、いずれも、虫歯の回動位置となる。その後、レバー６を手前側に倒すことにより、顎部材２，３は、口を閉じた状態から口を開けた状態になるが、その状態では、玩具１の使用者から見える歯部材５は、いずれも虫歯の回動位置となっている。
【００６１】
本実施の形態の玩具１は、顎を模した顎部材２と、顎部材２に取り付けられ、それぞれ歯を模した複数の歯部材５と、を備えている。玩具１が備える複数の歯部材５のそれぞれは、顎部材２から所定の面が露出するように取り付けられている。玩具１が備える複数の歯部材５のそれぞれは、使用者の操作に応じて、歯部材５の面５ａを顎部材２から露出する状態と歯部材５の面５ｂを顎部材２から露出する状態とに変化可能であるため、玩具１の興趣性を向上させることができる。
【００６２】
また、玩具１が備える複数の歯部材のそれぞれにおいて、面５ａは、虫歯を模した面であり、面５ｂは、虫歯でない歯を模した面である。これにより、歯部材５の面５ａを顎部材２から露出する状態から、歯部材５の面５ｂを顎部材２から露出する状態に変化させる行為は、虫歯を虫歯でない歯に変化させる行為を容易に連想させるため、玩具１の興趣性を更に向上させることができる。また、外側部材（外殻部材）２２に印刷やシール貼りによって虫歯の外観を表現する場合、部材１１や部材１２を歯部材５に押し付ける（擦る）操作をしたときに印刷のインクの剥がれやシールの剥がれ等の損傷が生じる可能性があるが、玩具１が備える歯部材５のそれぞれにおいて、虫歯を表す外観部材である内側部材２３を別途設ける構成となっているため、上述のような損傷が生じず、玩具１の美観を損ねることを防止することができる。
【００６３】
また、玩具１の使用者によって操作され、玩具１が備える複数の歯部材５のそれぞれに押し当てて複数の歯部材５のそれぞれを回動させることが可能な回動操作部材を、玩具１は更に備えている。この回動操作部材は、歯ブラシまたは歯科工具を模している。このため、玩具１の使用者は、歯磨きまたは虫歯の治療を容易に連想しながら、玩具１を用いて遊ぶことができる。これにより、玩具１の興趣性を更に向上させることができる。
【００６４】
また、本実施の形態の玩具１は、下顎を模した顎部材２と、上顎を模した顎部材３とを備えている。顎部材２，３が口を開けた状態にあるときに、玩具１が備える複数の歯部材５のそれぞれは、玩具１の使用者の操作に応じて、歯部材５の面５ａを顎部材２から露出する状態と歯部材５の面５ｂを顎部材２から露出する状態とに変化可能である。そして、口を開けた状態にある顎部材２，３顎部材が、口を閉じた状態に変化したことに応じて、玩具１が備える複数の歯部材５は、いずれも、歯部材５の面５ａが顎部材２から露出した状態となる。これにより、口の開け閉めを行えば、玩具１を用いた繰り返しの遊びが可能となるため、玩具１の操作性を向上させることができる。また、玩具１の興趣性を更に向上させることができる。
【００６５】
以上、本発明者によってなされた発明をその実施の形態に基づき具体的に説明したが、本発明は前記実施の形態に限定されるものではなく、その要旨を逸脱しない範囲で種々変更可能であることは言うまでもない。
【符号の説明】
【００６６】
１  玩具
２，３  顎部材
４  支持台部
５，５ｃ，５ｄ  歯部材
５ａ，５ｂ  面
６  レバー
１１，１２，１３  部材
２１  回転軸
２２  外側部材
２３  内側部材
２４  開口部
３１  突起
３２  プレート部材
３３，３３ａ，３３ｂ  部材
４１  ラック
４２  ピニオン
４３  歯車
５１，５２  部材
５３  突出部
【要約】
【課題】玩具の興趣性を向上させる。
【解決手段】玩具１は、顎を模した顎部材２と、顎部材２に取り付けられ、それぞれ歯を模した複数の歯部材５と、を備えている。玩具１が備える複数の歯部材５のそれぞれは、顎部材２から所定の面が露出するように取り付けられている。玩具１が備える複数の歯部材５のそれぞれは、使用者の操作に応じて、歯部材５の面５ａを顎部材２から露出する状態と、歯部材５の面５ａとは異なる面を顎部材２から露出する状態とに、変化可能である。
【選択図】図３【図１】
0006915134.tif 000002
【図２】
0006915134.tif 000003
【図３】
0006915134.tif 000004
【図４】
0006915134.tif 000005
【図５】
0006915134.tif 000006
【図６】
0006915134.tif 000007
【図７】
0006915134.tif 000008
【図８】
0006915134.tif 000009
【図９】
0006915134.tif 000010
【図１０】
0006915134.tif 000011
【図１１】
0006915134.tif 000012